【事件の表示】
　平成１１年特許願第３３２７１３号「商品発注装置」拒絶査定不服審判事件〔平成１３年　５月２９日出願公開、特開２００１−１４７９５９〕について、次のとおり審決する。
【結　論】
　本件審判の請求は、成り立たない。
【理　由】
第１　手続の経緯
　本願は，平成１１年１１月２４日の出願であって，平成１９年１月２４日付けの拒絶理由通知に対して同年３月３０日付けで手続補正がなされたが，同年４月２３日付けで拒絶査定がなされ，これに対して同年５月３１日に拒絶査定に対する審判請求がなされるとともに同日付けで手続補正がなされ，さらに平成２１年５月１４日付けの審尋に対して同年６月１８日付けで回答書が提出されたものである。
　
第２　平成１９年５月３１日付けの手続補正についての補正却下の決定 
　
　［補正却下の決定の結論］
  
　平成１９年５月３１日付けの手続補正（以下，「本件補正」という。）を却下する。 
　
［理由］  
１．補正の内容について
　本件補正は，特許請求の範囲についてするもので，本件補正前の請求項１乃至２１を本件補正後の請求項１乃至２１のように補正するものである。
　本件補正前後の特許請求の範囲は以下のとおりである。
（なお，下線は，補正の個所を示すものとして審判請求人が付したものを当審で援用したものである。）
　
＜本件補正前＞　
「【請求項１】
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付ける位置調整部と，
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える装置。
【請求項２】
　前記変形処理部は，前記位置調整部により対応付けられた部分の，前記人体形状データの表面から前記被服形状データの表面までの距離に基づいて，前記被服形状データを変形する
請求項１に記載の装置。
【請求項３】
　前記位置調整部により対応付けられた部分の，前記人体形状データの表面から前記被服形状データの表面までの距離に基づいて，前記被服を着た場合に前記人体に生じる圧力を算出する判定部
をさらに備え，
　前記変形処理部は，前記圧力に基づいて前記被服形状データを変形する
請求項１に記載の装置。
【請求項４】
　前記被服を単位長さ伸ばすのに必要な力を示す係数情報を格納する被服データベース
をさらに備え，
　前記判定部は，前記距離および前記係数情報に基づいて，前記被服を着た場合に人体に生じる圧力を算出する
請求項３に記載の装置。
【請求項５】
　前記被服の形状における前記圧力を測定した部分毎に，前記圧力が視覚的に分かるように圧力画像を生成する圧力画像生成部
をさらに備える請求項２乃至請求項４のいずれかに記載の装置。
【請求項６】
　前記圧力画像生成部は，前記試着画像に，前記被服の形状における前記圧力を測定した部分毎に前記圧力に応じた色を付ける
請求項５に記載の装置。
【請求項７】
　背景画像を格納している背景データベースと，
　前記被服の種類に応じた背景画像を前記背景データベースから選択して，前記試着画像に合成する表示画面生成部と
をさらに備える請求項１乃至請求項６のいずれかに記載の装置。
【請求項８】
　人体の形状を数値化して得られる人体形状データを入力する人体形状データ入力段階と，
　被服の形状を数値化した被服形状データ，および前記人体形状データに基づいて，前記人体の部分毎に，前記被服の形状の所定の部分を，対応する前記人体の形状の所定の部分に対応付ける位置調整段階と，
　前記人体の各部における，前記被服の形状の位置と前記人体の形状の位置との距離に基づいて，前記被服形状データを変形する変形処理段階と，
　前記変形処理段階により変形された前記被服形状データおよび前記人体形状データに基づいて，試着画像を生成する試着画像生成段階と
を備える方法。
【請求項９】
　前記変形処理段階は，前記位置調整段階により対応付けられた部分の，前記人体形状データの表面から前記被服形状データの表面までの距離に基づいて，前記被服形状データを変形する
請求項８に記載の方法。
【請求項１０】
　前記位置調整段階により対応付けられた部分の，前記人体形状データの表面から前記被服形状データの表面までの距離に基づいて，前記被服を着た場合に前記人体に生じる圧力を算出する判定段階
をさらに備え，
　前記変形処理段階は，前記圧力に基づいて前記被服形状データを変形する
請求項８に記載の方法。
【請求項１１】
　前記判定段階は，前記被服を単位長さ伸ばすのに必要な力を示す係数情報，および前記距離に基づいて，前記被服を着た場合に人体に生じる圧力を算出する
請求項１０に記載の方法。
【請求項１２】
　前記被服の形状における前記圧力を測定した部分毎に，前記圧力が視覚的に分かるように圧力画像を生成する圧力画像生成段階
をさらに備える請求項９乃至請求項１１のいずれかに記載の方法。
【請求項１３】
　前記圧力画像生成段階は，前記試着画像に，前記被服の形状における前記圧力を測定した部分毎に前記圧力に応じた色を付ける
請求項１２に記載の方法。
【請求項１４】
　前記被服の種類に応じた背景画像を背景データベースから選択して，前記試着画像に合成する表示画面生成段階
をさらに備える請求項８乃至請求項１２のいずれかに記載の方法。
【請求項１５】
　ネットワークを介して端末装置から入力された要求に基づいて，複数の商品の中から特定の商品を発注する商品発注サーバであって，
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付ける位置調整部と，
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える商品発注サーバ。
【請求項１６】
　前記変形処理部は，前記位置調整部により対応付けられた部分の，前記人体形状データの表面から前記被服形状データの表面までの距離に基づいて，前記被服形状データを変形する
請求項１５に記載の商品発注サーバ。
【請求項１７】
　前記位置調整部により対応付けられた部分の，前記人体形状データの表面から前記被服形状データの表面までの距離に基づいて，前記被服を着た場合に前記人体に生じる圧力を算出する判定部
をさらに備え，
　前記変形処理部は，前記圧力に基づいて前記被服形状データを変形する
請求項１５に記載の商品発注サーバ。
【請求項１８】
　前記被服を単位長さ伸ばすのに必要な力を示す係数情報を格納する被服データベース
をさらに備え，
　前記判定部は，前記距離および前記係数情報に基づいて，前記被服を着た場合に人体に生じる圧力を算出する
請求項１７に記載の商品発注サーバ。
【請求項１９】
　前記被服の形状における前記圧力を測定した部分毎に，前記圧力が視覚的に分かるように圧力画像を生成する圧力画像生成部
をさらに備える請求項１６乃至請求項１８のいずれかに記載の商品発注サーバ。
【請求項２０】
　前記圧力画像生成部は，前記試着画像に，前記被服の形状における前記圧力を測定した部分毎に前記圧力に応じた色を付ける
請求項１９に記載の商品発注サーバ。
【請求項２１】
　背景画像を格納している背景データベースと，
　前記被服の種類に応じた背景画像を前記背景データベースから選択して，前記試着画像に合成する表示画面生成部と
をさらに備える請求項１５乃至請求項２０のいずれかに記載の商品発注サーバ。
　
＜本件補正後＞　
「【請求項１】
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える装置。
【請求項２】
　前記変形処理部は，前記位置調整部により対応付けられた部分の，前記人体形状データの表面から前記被服形状データの表面までの距離に基づいて，前記被服形状データを変形する
請求項１に記載の装置。
【請求項３】
　前記位置調整部により対応付けられた部分の，前記人体形状データの表面から前記被服形状データの表面までの距離を，
前記人体の形状のポーズを変えて算出し，
をさらに備え，
　前記変形処理部は，前記圧力に基づいて前記被服形状データを変形する
請求項１に記載の装置。
【請求項４】
　前記被服を単位長さ伸ばすのに必要な力を示す係数情報を格納する被服データベース
をさらに備え，
　前記判定部は，前記距離および前記係数情報に基づいて，前記被服を着た場合に人体に生じる圧力を算出する
請求項３に記載の装置。
【請求項５】
　前記被服の形状における前記圧力を測定した部分毎に，前記圧力が視覚的に分かるように圧力画像を生成する圧力画像生成部
をさらに備える請求項２乃至請求項４のいずれかに記載の装置。
【請求項６】
　前記圧力画像生成部は，前記試着画像に，前記被服の形状における前記圧力を測定した部分毎に前記圧力に応じた色を付ける
請求項５に記載の装置。
【請求項７】
　背景画像を格納している背景データベースと，
　前記被服の種類に応じた背景画像を前記背景データベースから選択して，前記試着画像に合成する表示画面生成部と
をさらに備える請求項１乃至請求項６のいずれかに記載の装置。
【請求項８】
　
人体形状データ入力部が，
　
位置調整部が，
前記人体の形状にポーズを付ける処理をする
　
変形処理部が，
　
試着画像生成部が，
を備える方法。
【請求項９】
　前記変形処理段階
において
前記変形処理部が，
部
前記人体の形状のポーズを変えて算出し，
請求項８に記載の方法。
【請求項１０】
　
判定部が，
をさらに備え，
　前記変形処理段階
において
前記変形処理部が，
請求項８に記載の方法。
【請求項１１】
　前記判定段階
において
前記判定部が，
請求項１０に記載の方法。
【請求項１２】
　
圧力画像生成部が，
をさらに備える請求項９乃至請求項１１のいずれかに記載の方法。
【請求項１３】
　前記圧力画像生成段階
において
前記圧力画像生成部が，
請求項１２に記載の方法。
【請求項１４】
　
表示画面生成部が，
をさらに備える請求項８乃至請求項１２のいずれかに記載の方法。
【請求項１５】
　ネットワークを介して端末装置から入力された要求に基づいて，複数の商品の中から特定の商品を発注する商品発注サーバであって，
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える商品発注サーバ。
【請求項１６】
　前記変形処理部は，前記位置調整部により対応付けられた部分の，前記人体形状データの表面から前記被服形状データの表面までの距離に基づいて，前記被服形状データを変形する
請求項１５に記載の商品発注サーバ。
【請求項１７】
　前記位置調整部により対応付けられた部分の，前記人体形状データの表面から前記被服形状データの表面までの距離を，
前記人体の形状のポーズを変えて算出し，
をさらに備え，
　前記変形処理部は，前記圧力に基づいて前記被服形状データを変形する
請求項１５に記載の商品発注サーバ。
【請求項１８】
　前記被服を単位長さ伸ばすのに必要な力を示す係数情報を格納する被服データベース
をさらに備え，
　前記判定部は，前記距離および前記係数情報に基づいて，前記被服を着た場合に人体に生じる圧力を算出する
請求項１７に記載の商品発注サーバ。
【請求項１９】
　前記被服の形状における前記圧力を測定した部分毎に，前記圧力が視覚的に分かるように圧力画像を生成する圧力画像生成部
をさらに備える請求項１６乃至請求項１８のいずれかに記載の商品発注サーバ。
【請求項２０】
　前記圧力画像生成部は，前記試着画像に，前記被服の形状における前記圧力を測定した部分毎に前記圧力に応じた色を付ける
請求項１９に記載の商品発注サーバ。
【請求項２１】
　背景画像を格納している背景データベースと，
　前記被服の種類に応じた背景画像を前記背景データベースから選択して，前記試着画像に合成する表示画面生成部と
をさらに備える請求項１５乃至請求項２０のいずれかに記載の商品発注サーバ。」
　
　本件補正は，以下の補正事項１〜１４を含むものである。
　
（１）補正事項１
　請求項１において，補正前の「被服の形状を数値化した被服形状データ，および前記人体形状データに基づいて，前記人体の部分毎に，前記被服の形状の所定の部分を，対応する前記人体の形状の所定の部分に対応付ける位置調整部」を補正後の「被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　
（２）補正事項２
　請求項３において，補正前の「前記位置調整部により対応付けられた部分の，前記人体形状データの表面から前記被服形状データの表面までの距離に基づいて，前記被服を着た場合に前記人体に生じる圧力を算出する判定部」を補正後の「前記位置調整部により対応付けられた部分の，前記人体形状データの表面から前記被服形状データの表面までの距離を，
前記人体の形状のポーズを変えて算出し，
　
（３）補正事項３
　請求項８において，「
人体形状データ入力部が，
位置調整部が，
変形処理部が，
試着画像生成部が，
　
（４）補正事項４
　請求項８において，補正前の「前記被服の形状の所定の部分を，対応する前記人体の形状の所定の部分に対応付ける位置調整段階」を補正後の「前記被服の形状の所定の部分を，対応する前記人体の形状の所定の部分に対応付け，
前記人体の形状にポーズを付ける処理をする
　
（５）補正事項５
　請求項９において，補正前の「前記変形処理段階は，前記位置調整段階により対応付けられた部分の」を補正後の「前記変形処理段階
において
前記変形処理部が，
部
　
（６）補正事項６
　請求項９において，補正前の「前記人体形状データの表面から前記被服形状データの表面までの距離に基づいて，前記被服形状データを変形する」を補正後の「前記人体形状データの表面から前記被服形状データの表面までの距離を，
前記人体の形状のポーズを変えて算出し，
　
（７）補正事項７
　請求項１０において，「
判定部が，
　
（８）補正事項８
　請求項１０において，補正前の「前記変形処理段階は，前記圧力に基づいて前記被服形状データを変形する」を補正後の「前記変形処理段階
において
前記変形処理部が，
　
（９）補正事項９
　請求項１１において，補正前の「前記判定段階は，前記被服を単位長さ伸ばすのに必要な力を示す係数情報，および前記距離に基づいて，前記被服を着た場合に人体に生じる圧力を算出する」を補正後の「前記判定段階
において
前記判定部が，
　
（１０）補正事項１０
　請求項１２において，「
圧力画像生成部が，
　
（１１）補正事項１１
　請求項１３において，補正前の「前記圧力画像生成段階は，前記試着画像に，前記被服の形状における前記圧力を測定した部分毎に前記圧力に応じた色を付ける」を補正後の「前記圧力画像生成段階
において
前記圧力画像生成部が，
　
（１２）補正事項１２
　請求項１４において，「
表示画面生成部が，
　
（１３）補正事項１３
　請求項１５において，補正前の「被服の形状を数値化した被服形状データ，および前記人体形状データに基づいて，前記人体の部分毎に，前記被服の形状の所定の部分を，対応する前記人体の形状の所定の部分に対応付ける位置調整部」を補正後の「被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　
（１４）補正事項１４
　請求項１７において，補正前の「前記位置調整部により対応付けられた部分の，前記人体形状データの表面から前記被服形状データの表面までの距離に基づいて，前記被服を着た場合に前記人体に生じる圧力を算出する」を補正後の「前記位置調整部により対応付けられた部分の，前記人体形状データの表面から前記被服形状データの表面までの距離を，
前記人体の形状のポーズを変えて算出し，
　
２．補正の目的
　
（１）補正事項１について
　補正事項１は，位置調整部の機能を「被服の形状を数値化した被服形状データ，および前記人体形状データに基づいて，前記人体の部分毎に，前記被服の形状の所定の部分を，対応する前記人体の形状の所定の部分に対応付ける」という機能から「被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　
（２）補正事項２について
　補正事項２は，判定部の機能を「前記位置調整部により対応付けられた部分の，前記人体形状データの表面から前記被服形状データの表面までの距離に基づいて，前記被服を着た場合に前記人体に生じる圧力を算出する」という機能から「前記位置調整部により対応付けられた部分の，前記人体形状データの表面から前記被服形状データの表面までの距離を，
前記人体の形状のポーズを変えて算出し，
　
（３）補正事項３について
　補正事項３は，「人体形状データ入力段階」「位置調整段階」「変形処理段階」「試着画像生成段階」の各段階における処理の主体を明確にするものであるから，明りょうでない記載の釈明を目的とするものである。
　
（４）補正事項４について
　補正事項４は，位置調整段階における処理を「前記被服の形状の所定の部分を，対応する前記人体の形状の所定の部分に対応付ける」という処理から「前記被服の形状の所定の部分を，対応する前記人体の形状の所定の部分に対応付け，
前記人体の形状にポーズを付ける処理をする
　
（５）補正事項５について
　補正事項５は，「変形処理段階」における処理の主体及び，「対応付け」る処理の主体を明確にするものであるから，明りょうでない記載の釈明を目的とするものである。
　
（６）補正事項６について
　補正事項６は，変形処理段階における処理を「前記人体形状データの表面から前記被服形状データの表面までの距離に基づいて，前記被服形状データを変形する」という処理から「前記人体形状データの表面から前記被服形状データの表面までの距離を，前
記人体の形状のポーズを変えて算出し，
　
（７）補正事項７について
　補正事項７は，判定段階における処理の主体を明確にするものであるから，明りょうでない記載の釈明を目的とするものである。
　
（８）補正事項８について
　補正事項８は，変形処理段階における処理の主体を明確にするものであるから，明りょうでない記載の釈明を目的とするものである。
　
（９）補正事項９について
　補正事項９は，判定段階における処理の主体を明確にするものであるから，明りょうでない記載の釈明を目的とするものである。
　
（１０）補正事項１０について
　補正事項１０は，圧力画像生成段階における処理の主体を明確にするものであるから，明りょうでない記載の釈明を目的とするものである。
　
（１１）補正事項１１について
　補正事項１１は，圧力画像生成段階における処理の主体を明確にするものであるから，明りょうでない記載の釈明を目的とするものである。
　
（１２）補正事項１２について
　補正事項１２は，表示画面生成段階における処理の主体を明確にするものであるから，明りょうでない記載の釈明を目的とするものである。
　
（１３）補正事項１３について
　補正事項１３は，位置調整部の機能を「被服の形状を数値化した被服形状データ，および前記人体形状データに基づいて，前記人体の部分毎に，前記被服の形状の所定の部分を，対応する前記人体の形状の所定の部分に対応付ける」という機能から「被服の形状を数値化した被服形状データ，および前記人体形状データに基づいて，前記人体の部分毎に，前記被服の形状の所定の部分を，対応する前記人体の形状の所定の部分に対応付け，
前記人体の形状にポーズを付ける処理をする
　
（１４）補正事項１４について
　補正事項１４は，判定部の機能を「前記位置調整部により対応付けられた部分の，前記人体形状データの表面から前記被服形状データの表面までの距離に基づいて，前記被服を着た場合に前記人体に生じる圧力を算出する」という機能から「前記位置調整部により対応付けられた部分の，前記人体形状データの表面から前記被服形状データの表面までの距離を，
前記人体の形状のポーズを変えて算出し，
　
　以上のとおり，補正事項１，２，４，６，１３，１４は限定的減縮を目的とするものであり，補正事項３，５，７〜１２は明りょうでない記載の釈明を目的とするものであるから，本件補正は，平成１８年法律第５５号改正附則第３条第１項によりなお従前の例によるとされる同法による改正前の特許法（以下，「改正前特許法」という。）第１７条の２第４項第２号に掲げられた「特許請求の範囲の減縮」及び同項第４号に掲げられた「明りょうでない記載の釈明」を目的とする補正に該当する。
　
　ここで，上記補正事項１は，請求項１について，特許法第１７条の２第４項第２号に掲げられた「特許請求の範囲の減縮」を目的とするものであるので，本件補正後の請求項１に係る発明（以下，「本件補正発明」という。）が，特許出願の際独立して特許を受けることができるものであるか（改正前特許法第１７条の２第５項において準用する同法第１２６条第５項の規定に適合するか）について以下に検討する。
　
　本件補正発明を再掲すると以下のとおりである。
　
「【請求項１】
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付け，前記人体の形状にポーズを付ける処理をする位置調整部と，
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える装置。」 
　
３．引用例 
　
（１）引用例１
　原査定の拒絶の理由に引用された，本願の出願日前である平成１１年９月２８日に頒布された特開平１１−２６５２４３号公報（以下，「引用例１」という。）には，図面とともに，次の（ア）乃至（エ）の事項が記載されている。
　
（ア）「【要約】
【課題】  きめ細かな仮想試着を行うことができる電子的商取引システムを提供する。
【解決手段】  販売者側では，仮想試着に用いる商品の各部位の測定値及び購入者の身体の各部位の測定値が登録されたデータベース６と，購入者が，購入者側の端末を操作し販売者側に設けられた仮想店舗４内で，ある試着を伴う商品を購入する際，その商品の各部位のサイズの測定値及びその商品に対応する購入者の身体の各部位のサイズの測定値をデータベース６から取得し，その取得した測定値を比較して，その商品の購入者に対するフィット具合を判定し，その判定結果を仮想試着結果として，購入者側の端末に提示する仮想試着システムアプリケーション５とを備えたものである。」
　
（イ）「【請求項８】  購入者と販売者を通信網を介して接続し，前記購入者と販売者との間で，服飾類の商取引を行う電子的商取引システムにおいて，
前記販売者側では，仮想試着に用いる商品の各部位の測定値及び購入者の身体の各部位の測定値が登録されたデータベースと，
前記購入者が，購入者側の端末を操作し販売者側に設けられた仮想店舗内で，ある試着を伴う商品を購入する際，その商品の各部位のサイズの測定値及びその商品に対応する購入者の身体の各部位のサイズの測定値を前記データベースから取得し，その取得した測定値を比較して，その商品の購入者に対するフィット具合を判定し，その判定結果を仮想試着結果として，前記購入者側の端末に提示する仮想試着処理手段とを備えたことを特徴とする電子的商取引システム。」
　
（ウ）「【０００１】
【発明の属する技術分野】本発明は，服飾類の商取引を行う際に，購入者と販売者が遠隔地にある場合において，購入者が実際に商品の試着せずに試着と同等の効果を発揮するための仮想試着方法及びそれを適用した電子的商取引システムに関するものである。」
　
（エ）「【０００８】
【発明の実施の形態】実施の形態１．図１は本発明の実施の形態１に係る電子的商取引システムの構成を示す構成図である。図において，１は購入者側のパーソナルコンピュータなどのクライアント端末で使用されるブラウザ，２はサーバ，３はサーバ２上に設けられたＷＷＷサーバであり，ＷＷＷサーバ３は，仮想店舗４と仮想試着システムアプリケーション５を有している。６は仮想店舗４及び仮想試着システムアプリケーション５で使用される各種データが記憶されたデータベース，７はインターネットなどの通信網である。
【０００９】この実施の形態では，クライアントとなる購入者は，購入者側ブラウザ１を利用し，インターネット７を介してサーバ２側であるＷＷＷサーバ３と，本発明の仮想試着方法を適用した仮想試着システムアプリケーション５を採用している販売者側の仮想店舗４にアクセスし，商取引を行っていく。この時，仮想試着システムが使用する購入者の測定情報及び商品ごとの測定情報はサーバ２側にある販売者のデータベース６によって保持される。
【００１０】そして，購入者は仮想店舗４が設置されているＷＷＷサーバ３上のＷＷＷサイト，又は仮想店舗４自体に会員登録を行っておき，その際に仮想的に試着を行うために必要な購入者の各部位の身体の測定情報を登録しておく。そして，仮想店舗４側は，販売する服飾類の仮想試着システムアプリケーション５で定義されているその商品種類に合った各部位の測定値（例えば，服の場合，靴のサイズなどは必要ない）のデータをデータベースに登録しておく。例えば，服の場合，首（襟）周囲何センチ，襟の高さ何センチ，肩幅何センチ，袖何センチ，脇下何センチ，胸囲何センチ，ウェイスト何センチなどの測定値を登録しておく。
【００１１】ここで購入者が仮想店舗４を経由して仮想試着を行うということは，店舗側のデータベース６から取得した購入者の各部位の身体のサイズの測定値と対象商品の各部位のサイズの測定値とを比べ，購入者が実際に試着を行った場合に発生すると同じ問題点を列挙することで，実際に試着したと同じ効果を遠隔地にいる購入者にもたらすことをいう。
【００１２】例えば，ある服を仮想試着することにした購入者に対し，仮想試着システムアプリケーション５は，データベース６から取得した比較対象となっている服の各部位の測定値と，購入者の該当する測定値とを比較し，例えば，服の袖が何センチ長すぎるとか服の脇下と購入者の脇下の測定値の差分が何センチでぎりぎりと思われるなどの問題点を列挙する。
【００１３】また，仮想試着結果をビジュアルに購入者に提供するため，３次元でその人の体型データを元にグラフィックイメージを表示し，それに服のデータを上乗せし，試着具合をイメージで見せる機能を備えている。マウスによるインタラクティブな操作で回転したり拡大することにより全体的な試着具合を確認できる。試着に何らかの問題点があった場合は，３次元の試着グラフィック上で問題となった箇所を別の色にして表示する。
【００１４】ここで，仮想的に試着を行うために必要な購入者の各部位の身体の測定情報の登録について説明する。図２は，購入者の各部位の身体の測定情報の登録画面の一例を示した図であり，この例では，購入者がＷＷＷサーバ３にインターネット７を介して接続した状態によりオンラインで測定情報を登録する例である。このほかにも，郵送などによる仮想店舗４への利用申し込み登録時に，購入者の各部位の身体の測定情報を記入することにより，仮想店舗４のデータベース６への登録を行うようにしてもよい。
【００１５】まず，購入者側のブラウザ１上で，測定情報の登録に関する操作を行うと，例えば図２に示すような登録画面が，購入者側のブラウザ１に表示され，購入者は，その表示画面上で，測定した個人の測定情報を入力していき，登録を行う。そして，その入力された購入者の各部位の身体の測定情報は，仮想店舗４のデータベース６に登録される。そして，測定値に極端な変化がない限りこの測定情報の入力は一度で済み，また，変更などあった場合も該当部分のみ登録情報を変更することが出来るようになっている。
【００１６】次に，この実施の形態の仮想試着の動作について説明する。図３は，この実施の形態の仮想試着の動作を示すフローチャートである。まず，販売者側はデータベース６を作成し，商品情報を登録しておく。新規会員申し込み時にはデータベース６に新規会員の測定情報を登録する。また，仮想店舗４として，商品紹介のページを作成しておく。そして，購入者である会員が，インターネット７を介して，仮想店舗４の商品紹介ページから試着したい商品を選択した際に，仮想試着システムアプリケーション５による処理が開始される。
【００１７】そして，仮想試着システムアプリケーション５による処理が開始されると，仮想試着を行うために購入者の会員番号及び試着する商品の商品ＩＤを，仮想試着システムアプリケーション５の呼び出し元である仮想店舗４の商品紹介ページから取得し（Ｓ１００），取得した会員番号及び商品ＩＤの情報がデータベース６に存在するかを検索する（Ｓ１０１）。
【００１８】そして，Ｓ１０１で会員番号及び商品ＩＤの情報の両方が存在する場合，仮想試着ができるため，データベース６から商品ＩＤが持つ各部位の測定値を取得すると共に，試着対象である商品の持つ各部位の測定箇所と同じ購入者の測定値の情報を取得する（Ｓ１０２）。ここでいう測定箇所とは，その商品が持つ試着に有効な範囲の情報のことであり，例えば，服の場合，首周囲，脇下，胸囲などが測定箇所であり，指の太さや足の大きさなどは測定箇所の対象にはならない。
【００１９】そして，測定箇所の基本的なフィットがあるかどうかを判断する（Ｓ１０３）。ここで，基本的なフィットとは測定比較範囲の中で，購入者の該当する各部位のサイズの測定値が商品の測定値の範囲内にないといけないクリティカルな判定に問題ないことをいう。例えば，服の場合，測定箇所は首（襟）周囲，肩幅，胸囲，上部腕周囲，下部腕周囲，袖丈，服丈，などがある。この中で，クリティカルな測定箇所は首（襟）周囲，肩幅，胸囲，上部腕周囲などであり，これらの測定値内に購入者の測定値が収まらない場合は「窮屈」なフィットとなり，基本的なフィットが失敗したことになる。
【００２０】そして，Ｓ１０３で基本的なフィットに問題がない場合は，基本的なフィットができたので，商品の測定範囲対象に対し，同箇所の購入者の測定値をもとに詳細なフィット情報を作成し，購入者に返却し（Ｓ１０４），終了する。この時のフィット情報とは単なる数値の比較を返却する簡単な仮想試着結果と共に，図４に示すように，購入者の対象体型部分の模型に商品を「着せ」，実際購入者が商品を着用したときにどのようなフィットを予想できるかを表示するようなビジュアルな結果を購入者に提供する。
【００２１】また，Ｓ１０３で基本的なフィットに問題がある場合は，基本フィットで問題があったため，試着に失敗したというエラーを購入者へ返却（例えば，ＨＴＭＬ形式によるエラー）し（Ｓ１０５），終了する。また，Ｓ１０１で会員番号及び商品ＩＤの情報のいずれかがない場合，仮想情報は不可能となるため，試着するための情報がないというエラーを購入者に返却（例えば，ＨＴＭＬ形式によるエラー）し（Ｓ１０６），終了する。
【００２２】この実施の形態では，いままで「試着」という概念の実施が難しかったインターネット上で購入者の測定情報を会員登録によってリモートに保持することにより，電子的な商取引にきめ細かな仮想試着が可能となる。」
　
　上記摘記事項（エ）の【００１５】段落の「まず，購入者側のブラウザ１上で，測定情報の登録に関する操作を行うと，例えば図２に示すような登録画面が，購入者側のブラウザ１に表示され，購入者は，その表示画面上で，測定した個人の測定情報を入力していき，登録を行う。そして，その入力された購入者の各部位の身体の測定情報は，仮想店舗４のデータベース６に登録される。」との記載及び図２の記載からみて，引用例１の電子的商取引システムが，「購入者の身体の各部位のサイズの測定値をデータベース６に登録する手段」を備えていることは明らかである。
　
　以上の点を踏まえ，上記摘記事項（ア）乃至（エ）の記載及び図面の記載を総合すると，引用例１には，次のとおりの発明（以下，「引用例１発明」という。）が記載されていると認められる。
　
「購入者の身体の各部位のサイズの測定値をデータベース６に登録する手段と，
　仮想試着に用いる服の各部位のサイズの測定値，および購入者の身体の各部位のサイズの測定値が登録されたデータベース６と，
　仮想店舗内で服を購入する際に，当該服の各部位のサイズの測定値及び購入者の身体の各部位のサイズの測定値をデータベース６から取得し，取得した服の各部位のサイズの測定値と，当該服の各部位に対応する購入者の身体の各部位のサイズの測定値とを比較してフィット具合を判定し，判定結果を仮想試着結果としてビジュアルに購入者に提供するために３次元でその人の体型データを元にグラフィックイメージを表示し，それに服のデータを上乗せし，試着具合をイメージで見せる機能を備えた仮想試着システムアプリケーション５と
　を備える電子的商取引システム」
　
４．対比
　
　引用例１発明の「購入者の身体の各部位のサイズの測定値」が本件補正発明の「人体の形状を数値化して得られる人体形状データ」に相当する。
　
　引用例１発明の「登録する手段」は，データベース６に，購入者の身体の各部位のサイズの測定値を入力していることは明らかであるから，本件補正発明の「入力する人体形状データ入力部」に相当する。
　
　引用例１発明の「服の各部位のサイズの測定値」が本件補正発明の「被服の形状を数値化した被服形状データ」に相当する。
　
　引用例１発明では，「服の各部位のサイズの測定値及び購入者の身体の各部位のサイズの測定値をデータベース６から取得し，取得した服の各部位のサイズの測定値と，当該服の各部位に対応する購入者の身体の各部位のサイズの測定値とを比較してフィット具合を判定し」ているから，「服の各部位」と「身体の各部位」とを対応付ける処理を行っていることは明らかである。
　してみれば，引用例１発明は，「被服の形状を数値化した被服形状データ，および前記人体形状データに基づいて，前記人体の部分毎に，前記被服の形状の所定の部分を，対応する前記人体の形状の所定の部分に対応付ける処理をする位置調整部」を実質的に備えているということができる。
　
　引用例１発明の「服のデータ」は，試着具合をイメージで表示するための「被服の形状のデータ」である点で，本件補正発明の「被服形状データ」と共通する。
　また，引用例１発明の「体型データ」は購入者の体型を表すデータであるから，本件補正発明の「人体形状データ」に相当する。
　また，引用例１発明では「判定結果を仮想試着結果としてビジュアルに購入者に提供するために３次元でその人の体型データを元にグラフィックイメージを表示し，それに服のデータを上乗せし，試着具合をイメージで見せる」のであるから，「試着画像を生成」していることは明らかである。
　してみれば，引用例１発明の「判定結果を仮想試着結果としてビジュアルに購入者に提供するために３次元でその人の体型データを元にグラフィックイメージを表示し，それに服のデータを上乗せし，試着具合をイメージで見せる機能」と本件補正発明の「前記変形処理部により変形された前記被服形状データおよび前記人体形状データに基づいて，試着画像を生成する試着画像生成部」とは，「被服の形状のデータおよび人体形状データに基づいて，試着画像を生成する試着画像生成部」である点で共通している。
　
　引用例１発明の「電子的商取引システム」が本件補正発明の「装置」に相当する。
　
　そうすると，本件補正発明と引用例１発明とは，
　
「人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付ける処理をする位置調整部と，
　被服の形状のデータおよび人体形状データに基づいて，試着画像を生成する試着画像生成部と
を備える装置。」 
　
の点で一致し，次の点で相違する。
　
［相違点１］
　本件補正発明では，人体の形状にポーズを付ける処理をするのに対して，引用例１発明には，これに対応する構成が記載されていない点。
　
［相違点２］
　試着画像を生成する際に，本件補正発明では，人体の各部における，被服の形状の位置と前記人体の形状の位置との距離に基づいて，被服形状データを変形する変形処理部を備え，当該変形処理部により変形された被服形状データに基づいて試着画像を生成しているのに対して，引用例１発明には，被服の形状のデータを変形することが記載されていない点。
　
５．当審の判断
　上記相違点について検討する。
　
［相違点１］について
　コンピュータを用いて洋服の試着シミュレーション（仮想試着）を行うものにおいて，試着結果を表示するための人物画像に所定のポーズを付ける処理を行うことは，例えば特開平９−４４５５６号公報（以下，「周知例１」という。）の【０００７】，【００３３】〜【００３４】段落，特開平１０−２４０９０８号公報（以下，「周知例２」という。）の【００４１】〜【００５８】段落，等に記載されているように周知事項（以下「周知事項１」という。）であるものと認められることから，引用例１発明において，試着画像を生成する際に，人体の形状にポーズを付ける処理をすることは当業者であれば適宜なしうる程度のことと認められる。
　
　したがって，相違点１に係る本件補正発明の構成は，引用例１発明及び周知事項１に基づいて当業者が容易に想到し得たものである。
　
［相違点２］について
　コンピュータを用いて洋服の試着シミュレーション（仮想試着）を行うものにおいて，試着結果を表示するための人物画像に合わせて服の画像を変形することは，例えば周知例１の【要約】，【０００６】〜【０００７】，【００４１】〜【００４６】段落，特開平９−１０２０３３号公報（以下，「周知例３」という。）等に記載されているように周知事項（以下「周知事項２」という。）であるものと認められることから，引用例１発明に当該周知事項２を適用して服の画像を変形するように構成することに格別の困難性は認められない。
　また，その際，上記周知例３の【要約】及び【００２４】〜【００２５】段落には，人物画像の輪郭線と衣服画像の輪郭線を重ね合わせて人物の輪郭線が衣服の輪郭線からはみ出しているかどうかをチェックし，はみ出している場合には衣服の輪郭を変形すること（本件補正発明における「人体の各部における，被服の形状の位置と前記人体の形状の位置との距離に基づいて，被服形状データを変形すること」に相当する）が記載されていることから，引用例１発明に上記周知事項２を適用した際に，人体の各部における，被服の形状の位置と前記人体の形状の位置との距離に基づいて，被服形状データを変形し，変形された被服形状データに基づいて試着画像を生成するように構成することは，当業者が適宜なしうる設計的事項であるものと認められ，そのように構成することにも何ら困難性が無いものと認められる。
　
　したがって，相違点２に係る本件補正発明の構成は，引用例１発明及び周知事項２に基づいて当業者が容易に想到し得たものである。
　
　そして，本件補正発明の作用効果も，引用例１，周知事項１及び周知事項２から当業者が予測できる範囲のものである。
　
　なお，審判請求人は平成１９年５月３１日付けの審判請求書において以下のとおり主張している。
　
『４．本願発明と引用発明との対比 
（１）構成上の相違 
　しかしながらいずれの引用文献にも，本願発明の下記の構成が記載されていない。 
「被服の形状を数値化した被服形状データ，および前記人体形状データに基づいて，前記人体の部分毎に，前記被服の形状の所定の部分を，対応する前記人体の形状の所定の部分に対応付け，前記人体の形状にポーズを付ける処理をする位置調整部と，前記人体の各部における，前記被服の形状の位置と前記人体の形状の位置との距離に基づいて，前記被服形状データを変形する変形処理部と」 
（２）構成上の相違の基づく本願発明の有利な効果 
　かかる構成上の相違により，本願発明は引用文献に記載された発明と比較して有利な下記の効果を奏する。 
　被服形状データと人体形状データとはともに三次元データであるので，その比較および変形の計算には非常に時間がかかる。また，本願明細書に記載されているように，インターネットを介して試着画像を提供して購入する被服を選択させる場合には，ユーザからの要求に応じてリアルタイムで試着画像を生成する必要がある。そのため，被服形状データと人体形状データとを短時間で比較して，被服形状データを変形しなければならない。
　拒絶査定にも記載されているように，いずれの引用文献にも，人体の各部における，被服の形状の位置と人体の形状の位置との距離に基づいて，被服形状データを変形することについては，何ら記載も示唆もされていない。従って，当然に，いずれの引用文献にも，被服のそれぞれの部位の形状を具体的にどのように変形するかについても，何ら記載も示唆もされていない。つまり，引用文献に開示された内容からでは，上記のような課題を解決することができない。 
　人体の形状は人それぞれであるので，引用文献１のように，人体と被服とを首周囲，肩幅，胸囲等で比較するだけでは，フィット感が求められたとしても，被服形状データを人体形状に合わせて変形することはできない。また，引用文献２のような単なる縮尺スケーリングだけでは，それぞれの人が被服を着た状態を表現することができない。 
　一方，本願発明によれば，人体の各部における，被服の形状の位置と人体の形状の位置との距離を利用することによって，簡単かつ高速に，被服形状データの変形量を計算することができる。例えば，人体の方が被服より大きい部分における，人体の表面から被服の表面までの距離を−（マイナス）で表現し，人体の方が被服より小さい部分における，人体の表面から被服の表面までの距離を＋（プラス）で表現するとする。この場合に，人体の表面から被服の表面までの距離が＋（プラス）の部分については，被服の形状を変形する必要がない。逆に，人体の表面から被服の表面までの距離が−（マイナス）の部分については，その距離だけ被服の形状のその部分を伸ばして人体の形状に一致させればよい。このように，人体の各部における，被服の形状の位置と人体の形状の位置との距離を利用することによって，短時間で試着画像を生成でき，オンラインショッピングにおいてリアルタイムで試着画像を提供できる。 
　また，一般的に，弾性体である被服に対し準弾性体である人体を接触させながら摩擦を考慮して差し入れ，そこに生じる圧力を計算するためには有限要素法の非線形ソルバーを用い，不安定な接触問題を長時間かけて解かねばならない。しかしながら，研究開発の現場ではなく不特定多数の人を相手にした商取引の現場では極めて高速に回答を出すことが要求される。 
　また，いろいろな被服を購入しようとするたびに被服の形状に合わせて人体の形状にポーズを付けて採寸しなおすことは，顧客の手間がかかり，また，その度に顧客が裸になること等を要求することになり現実的でない。従って，商取引を実施する場合には，標準的なポーズにおける人体の採寸結果および形状と，被服の寸法および形状とをマッチングさせることが要求される。被服の中には，立体裁断されてもともと３次元的な形状を有し，人体とマッチングさせやすい状態を最初から有する被服もある一方，Ｔシャツ等に代表されるような平面裁断されて平面的な形状データしか持っていない被服が数多く存在する。これらの平面的な形状データしか持っていない被服の多くは薄くてペラペラであることが多く，それを人体の形状にマッチングさせることは通常は容易ではない。 
　本発明はこのような背景のなか，「前記人体の部分毎に，前記被服の形状の所定の部分を，対応する前記人体の形状の所定の部分に対応付け，前記人体の形状にポーズを付ける処理をする位置調整部」を構成要件として有するものであるから，極めて多種多様な被服に対応でき，顧客にとって納得性の極めて高い商取引システムを提供できるという特段の効果を有するものである。 
　いずれの引用文献にも，上記のような本発明の構成要件を示唆する記載はない。従って，いずれの引用文献に開示された内容をもってしても，当業者が本発明を容易になし得ることの動機付けにはならず，引用文献に記載された発明を組み合わせても，本願発明に想到することを当業者が容易にできることではない。』（第４頁第１１行〜第６頁第２３行）
　
　しかしながら，上記で検討したとおりであるから，審判請求人の審判請求書における上記主張は採用することができない。
　
　したがって，本件補正発明は，引用例１発明，周知事項１及び周知事項２に基づいて当業者が容易に発明をすることができたものであるから，特許法第２９条第２項の規定により特許出願の際独立して特許を受けることができないものである。
　
６．本件補正についてのむすび
　したがって，本件補正は，改正前特許法第１７条の２第５項において準用する同法第１２６条第５項の規定に違反するので，同法第１５９条第１項において読み替えて準用する同法第５３条第１項の規定により却下すべきものである。
　
第３　本願発明について
１．本願発明
　平成１９年５月３１日付け手続補正は，上記のとおり却下されたので，本願の請求項１に係る発明は，平成１９年３月３０日付けの手続補正書によって補正された明細書及び図面の記載からみて，特許請求の範囲の請求項１に記載された事項により特定される次のとおりのものである。（以下，「本願発明」という。）
　
「【請求項１】
　人体の形状を数値化して得られる人体形状データを入力する人体形状データ入力部と，
　被服の形状を数値化した被服形状データ，および前記人体形状データに基づいて，前記人体の部分毎に，前記被服の形状の所定の部分を，対応する前記人体の形状の所定の部分に対応付ける位置調整部と，
　前記人体の各部における，前記被服の形状の位置と前記人体の形状の位置との距離に基づいて，前記被服形状データを変形する変形処理部と，
　前記変形処理部により変形された前記被服形状データおよび前記人体形状データに基づいて，試着画像を生成する試着画像生成部と
を備える装置。」
　
２．引用例
　原査定の拒絶の理由に引用された引用例１には，上記「第２　［理由］３．」に記載したとおりの事項が記載されている。
　
３．対比・判断
　上記「第２　［理由］」で検討した本件補正発明は，本願発明の「被服の形状を数値化した被服形状データ，および前記人体形状データに基づいて，前記人体の部分毎に，前記被服の形状の所定の部分を，対応する前記人体の形状の所定の部分に対応付ける位置調整部」を「被服の形状を数値化した被服形状データ，および前記人体形状データに基づいて，前記人体の部分毎に，前記被服の形状の所定の部分を，対応する前記人体の形状の所定の部分に対応付け，前記人体の形状にポーズを付ける処理をする位置調整部」として，上記「第２　［理由］４．」の「相違点１」に係る構成要件を限定したものである。
　そうすると，本願発明の構成要件をすべて含み，さらに「相違点１」に係る構成要件を限定した本件補正発明が，上記「第２　［理由］５．」に記載したとおり引用例１発明，周知事項１及び周知事項２に基づいて，当業者が容易に発明をすることができたものであるから，本願発明も同様の理由により，引用例１発明及び周知事項２に基づいて，当業者が容易に発明をすることができたものである。 
　
　そして，本願発明の作用効果も，引用例１及び周知事項２から当業者が予測できる範囲のものである。 
　
４．むすび 
　以上のとおり，本願発明は，引用例１発明及び周知事項２に基づいて，当業者が容易に発明をすることができたものであるから，特許法第２９条第２項の規定により特許を受けることができない。 
　
　よって，結論のとおり審決する。